(57)【要約】【課題】画像処理装置において、第１電子基板が、第２電子基板によって操作状況が検知される通電復帰用の操作部品を含んでいる場合に、その操作部品の良否を、第１電子基板単独でチェックすることができること。【解決手段】第１電子基板（１０）には、第１の操作部品（１１）に対する操作を検知する第１の操作検知部（１４１）と第２の操作部品（１８）とが設けられている。第２電子基板（２０）には、前記第２の操作部品（１８）に対する操作を検知する第２の操作検知部（２１）が設けられている。接続回路（１９）は、前記第１電子基板（１０）において前記第２の操作部品（１８）と前記第１の操作検知部（１４１）とに接続され、前記第２の操作検知部（２１）が前記第２の操作部品（１８）に接続されていない状況下で、前記第１の操作検知部（１４１）に前記第２の操作部品（１８）に対する操作を検知させる。【選択図】図２
2011097323.tif 000002
【特許請求の範囲】
【請求項１】
画像データを処理する画像処理装置であって、
第１の操作部品と該第１の操作部品に対する操作を検知する第１の操作検知部と第２の操作部品とが設けられた第１電子基板と、
前記第１の操作検知部に対する電力供給が停止された状況下で前記第２の操作部品に対する操作を検知する第２の操作検知部が設けられた第２電子基板と、
前記第１電子基板において前記第２の操作部品と前記第１の操作検知部とに接続され、前記第２の操作検知部が前記第２の操作部品に接続されていない状況下で前記第１の操作検知部に前記第２の操作部品に対する操作を検知させる接続回路と、
を備えることを特徴とする画像処理装置。
【請求項２】
前記第１の操作部品は、前記第１の操作検知部に接続された複数の信号出力ライン各々と前記第１の操作検知部に接続された複数の信号入力ライン各々とに接続された複数の操作キーを備えたキーマトリクスであり、
前記接続回路は、前記第２の操作部品と前記信号出力ラインと前記信号入力ラインとに接続され、
前記第１の操作検知部は、キーマトリクススキャンにより、前記キーマトリクスにおける前記複数の操作キー及び前記第２の操作部品の各々に対する操作の有無を検知する
請求項１に記載の画像処理装置。
【請求項３】
前記接続回路は、信号入力端及び信号出力端の各々が前記信号入力ライン及び前記信号出力ラインの各々に接続され、制御入力端が前記第２の操作検知部及び前記第２の操作部品にされたスリーステートバッファを備える
請求項２に記載の画像処理装置。
【請求項４】
前記スリーステートバッファは、前記キーマトリクスにおける複数の操作キーのうちの１つと並列に接続されている
請求項３に記載の画像処理装置。
【請求項５】
前記第１の操作検知部に対する電力供給が停止された状況下で前記第２の操作検知部により前記第２の操作部品に対する操作が検知された場合に、前記第１の操作検知部に対する電力供給を復活させる給電制御部を備えた請求項１から請求項４のいずれかに記載の画像処理装置。
【発明の詳細な説明】
【技術分野】
【０００１】
本発明は、画像処理装置に関し、特に、通電中に使用される第１の操作部品と通電の復活用の第２の操作部品とが設けられた電子基板における第２の操作部品の良否を、その電子基板単独で検査することができる画像処理装置に関するものである。
【背景技術】
【０００２】
昨今、プリンタ、複写機、ファクシミリ装置、又はそれらの装置の機能を併せ持つ複合機等の画像処理装置は、省電力化、使いやすさ及びコストダウンについて、益々高い要求が課されている。そして、昨今の画像処理装置は、使いやすさの向上のため、液晶ディスプレイや有機エレクトロルミネッセンスのディスプレイ等のパネルディスプレイを備えることが多い。そのような画像処理装置は、操作キーやタッチパネル等の操作部品への操作に対応した画像やメッセージ等のガイダンス情報を、パネルディスプレイにより出力する。また、昨今の画像処理装置は、ガイダンス情報の音声及びファクシミリ装置からの着信を通知するメロディ等の音響を出力する機能を備える場合もある。
【０００３】
一方、昨今の画像処理装置は、機能に応じて区分された複数の電子基板を備え、状況に応じてそれら電子基板各々に対する電力供給を個別に停止することにより、消費電力を抑制する。例えば、特許文献１には、所定の省エネモード設定手段により、一部の電子デバイスに対する電力供給を停止し、他の一部の電子デバイスに対して最低動作電圧を出力することについて示されている。
【０００４】
また、特許文献２には、システム本体と液晶ディスプレイを有するパネルサブシステムとを備え、節電モードの際、パネルサブシステムに対する電力供給を停止する複合機が示されている。さらに、特許文献３には、操作パネルのスイッチに対する操作の検知信号を割込信号として、ＣＰＵが節電モードからスタンバイモードへ復帰するプリンタについて示されている。
【先行技術文献】
【特許文献】
【０００５】
【特許文献１】特開２００４−１１４３１９号公報
【特許文献２】特開平１１−７３４３号公報
【特許文献３】特開２００３−１２２５３６号公報
【発明の概要】
【発明が解決しようとする課題】
【０００６】
ところで、マンマシンインターフェースを構成する操作部品が実装された電子基板は、その操作部品に対する操作を検知する回路に加え、ガイダンス機能等を実現するための高機能な制御回路も実装されている。このようなマンマシンインターフェース用の電子基板は、多くの機能を有するため、不良が発生しやすい。また、複数の電子基板が組み合わされた後に、一部の電子基板の不良が発見された場合、画像処理装置の生産効率が大きく低下する。従って、操作部品が実装された電子基板は、それ単独で、全ての操作部品を含む多くの実装部品の良否チェックが可能な構成を有することが好ましい。
【０００７】
一方、省電力化のためには、操作部品が操作されない可能性が高い状況下では、操作部品に対する操作を検知する回路を含む極力多くの部品に対し、電力供給が停止されることが好ましい。以下、操作部品に対する操作を検知する回路のことを操作検知回路と称する。しかしながら、通電が停止された前記操作検知回路は、通電を復帰するための操作を検知できない。そのため、従来の画像処理装置において、マンマシンインターフェース用の電子基板には、通常状態用の操作部品と、通常状態用の操作検知回路と、節電状態で用いられる通電復帰用の操作部品とが設けられる。
【０００８】
前記通常状態は、前記通常状態用の操作検知回路を含む当該電子基板に対して電力が供給されている状態である。また、前記節電状態は、前記通常状態用の操作検知回路に対して電力が供給されていない状態である。また、前記通常状態用の操作検知回路は、前記通常状態において、前記通常状態用の操作部品に対する操作を検知する回路である。また、前記通電復帰用の操作部品は、前記節電状態において、前記通常状態への復帰のために、他の電子基板に設けられた通電復帰用の操作検知回路によって操作が検知される操作部品である。
【０００９】
以下、図５を参照しつつ、従来の画像処理装置のマンマシンインターフェース用の電子基板における前記通電復帰用の操作部品の接続回路の一例について説明する。図５は、従来の画像処理装置のマンマシンインターフェース用の電子基板における前記通電復帰用の操作部品の接続回路の概略図である。図５において、ＭＭＩ（Man Machine Interface）基板１０、キーマトリクス１１、ＭＰＵ(Micro Processor Unit)１４１、節電キー１８及びＣＰＵ(Central Processing Unit)２１は、それぞれ前記マンマシンインターフェース用の電子基板、前記通常状態用の操作部品、前記通常状態用の操作検知回路、前記通電復帰用の操作部品及び前記通電復帰用の操作検知回路の一例である。
【００１０】
前記ＭＭＩ基板１０に実装された前記ＭＰＵ１４１は、前記通常状態において、キーマトリクススキャンにより、前記キーマトリクス１１における複数の操作キー各々に対する操作の有無を検知する。また、前記ＭＰＵ１４１は、前記節電状態において電力の供給が停止される。一方、前記ＭＭＩ基板１０以外の電子基板２０に実装された前記ＣＰＵ２１は、前記節電状態においても電力が供給されている。そして、前記ＣＰＵ２１は、前記節電状態において、前記ＭＭＩ基板１０に実装された前記節電キー１８に対する操作の有無を検知する。さらに、前記ＣＰＵ２１は、前記節電状態において前記節電キー１８に対する操作を検知したとき、前記ＭＰＵ１４１に対する電力供給を復帰させる制御を行う。
【００１１】
しかしながら、従来の画像処理装置において、マンマシンインターフェース用の電子基板（１０）は、その電子基板内で動作を検知できない前記節電モード用の操作部品（１８）を含んでいる。そのため、従来の画像処理装置は、前記通電復帰用の操作部品（１８）の良否を、マンマシンインターフェース用の電子基板（１０）単独でチェックできないという問題点があった。
【００１２】
本発明は、マンマシンインターフェース用の電子基板が、他の電子基板によって操作状況が検知される通電復帰用の操作部品を含んでいる場合に、その操作部品の良否を、マンマシンインターフェース用の電子基板単独でチェックすることができる画像処理装置を提供することを目的とする。
【課題を解決するための手段】
【００１３】
上記目的を達成するために、本発明に係る画像処理装置は、画像データを処理する装置であり、以下に示される各構成要素を備える。第１の構成要素は、第１の操作部品と該第１の操作部品に対する操作を検知する第１の操作検知部と第２の操作部品とが設けられた第１電子基板である。第２の構成要素は、前記第１の操作検知部に対する電力供給が停止された状況下で前記第２の操作部品に対する操作を検知する第２の操作検知部が設けられた第２電子基板である。第３の構成要素は、前記第１電子基板において前記第２の操作部品と前記第１の操作検知部とに接続され、前記第２の操作検知部が前記第２の操作部品に接続されていない状況下で前記第１の操作検知部に前記第２の操作部品に対する操作を検知させる接続回路である。
【００１４】
また、本発明に係る画像処理装置において、前記第１の操作部品は、前記第１の操作検知部に接続された複数の信号出力ライン各々と前記第１の操作検知部に接続された複数の信号入力ライン各々とに接続された複数の操作キーを備えたキーマトリクスであることが考えられる。この場合、前記接続回路は、前記第２の操作部品と前記信号出力ラインと前記信号入力ラインとに接続される。さらに、前記第１の操作検知部は、キーマトリクススキャンにより、前記キーマトリクスにおける前記複数の操作キー及び前記第２の操作部品の各々に対する操作の有無を検知する。
【００１５】
より具体的には、前記接続回路が、信号入力端、信号出力端及び制御入力端の各々が前記信号入力ライン、前記信号出力ライン及び前記第２の操作部品の各々に接続されたスリーステートバッファを備えることが考えられる。この場合、前記スリーステートバッファは、前記キーマトリクスにおける複数の操作キーのうちの１つと並列に接続されていることが考えられる。
【発明の効果】
【００１６】
本発明に係る画像処理装置において、前記第２の操作部品は、当該画像処理装置の状態を、前記第１の操作検知部に対する電力供給が停止された節電状態から通常状態へ復帰させるための操作部品（通電復帰用の操作部品）として使用できる。従って、マンマシンインターフェース用の前記第１電子基板が節電状態であるときに、前記第１の操作検知部を含むほぼ全ての部品に対する電力供給を停止することができる。その結果、節電状態における前記第１電子基板の消費電力が、より低く抑えられる。さらに、前記第１電子基板は、前記第１の操作部品及び前記第２の操作部品各々に対する操作を検知できる前記第１の操作検知部を備えている。即ち、前記第１電子基板は、それ単独で、通常状態で使用される前記第１の操作部品と節電状態で使用される前記第２の操作部品との両方の良否をチェックできる構成を有している。その結果、前記第１の電子基板及び前記第２の電子基板が組み合わされた後に、前記第１の電子基板の不良が発見され、画像処理装置の生産効率が大きく低下するという問題点が、解消される。
【図面の簡単な説明】
【００１７】
【図１】本発明の実施形態に係る画像処理装置１のブロック図。
【図２】画像処理装置１のマンマシンインターフェース用の電子基板における節電キーの接続回路の第１例の概略図。
【図３】画像処理装置１のマンマシンインターフェース用の電子基板における節電キーの接続回路の第２例の概略図。
【図４】画像処理装置１のマンマシンインターフェース用の電子基板における節電キーの接続回路の第３例の概略図。
【図５】従来の画像処理装置のマンマシンインターフェース用の電子基板における通電復帰用の操作部品の接続回路の概略図。
【発明を実施するための形態】
【００１８】
以下添付図面を参照しながら、本発明の実施の形態について説明する。なお、以下の実施の形態は、本発明を具体化した一例であって、本発明の技術的範囲を限定するものではない。
【００１９】
まず、図１に示されるブロック図を参照しつつ、本発明の実施形態に係る画像処理装置１について説明する。画像処理装置１は、プリンタ、スキャナ、複写機及びファクシミリ装置として機能する複合機である。図１に示されるように、画像処理装置１は、ＭＭＩ基板１０、メイン基板２０、スキャナユニット３０、プリンタユニット４０、ＮＣＵ(Network Control Unit)基板５０、ＬＡＮインターフェース基板６０、第１電源７０、第２電源８０及び制御スイッチ７１〜７３を備えている。また、前記ＭＭＩ基板１０、前記メイン基板２０、前記スキャナユニット３０が備えるスキャナ制御基板３１及び前記プリンタユニット４０が備えるプリンタ制御基板４１が、バス１００により接続されている。
【００２０】
前記ＭＭＩ(Man Machine Interface)基板１０は、マンマシンインターフェース用の電子基板である。前記ＭＭＩ基板１０は、キーマトリクス１１、パネルディスプレイ１２、発光ダイオード（ＬＥＤ）１３、ＭＭＩ制御回路１４、音響出力用のアンプ１５、ミュート制御用の切替スイッチ１６、スピーカ１７、節電キー１８及び節電キー接続回路１９等が設けられた電子基板である。前記キーマトリクス１１は、前記第１の操作部品の一例であり、前記ＭＭＩ制御回路１４の通電中に操作されることが想定された操作部品である。前記ＭＭＩ制御回路１４は、後に説明する図２に示されるように、前記キーマトリクス１１に対する操作を検知するＭＰＵ１４１を備えている。
【００２１】
一方、前記節電キー１８は、前記ＭＭＩ基板１０の通電状態を、節電状態から通常状態へ復帰させるための操作部品である。前記ＭＭＩ基板１０の節電状態は、前記キーマトリクス１１、前記パネルディスプレイ１２及び前記ＭＭＩ制御回路１８の各部品に対する電力供給が停止されている状態である。前記ＭＭＩ基板１０の通常状態は、それら各部品を含む前記ＭＭＩ基板１０上の部品群に対して電力が供給されている状態である。なお、前記節電キー１８は、前記第２の操作部品の一例である。また、前記ＭＭＩ基板１０は、前記第１電子基板の一例である。
【００２２】
また、前記ＭＭＩ制御回路１４は、前記キーマトリクス１１に対する操作に対応した表示情報の映像信号生成し、その映像信号を前記パネルディスプレイ１２に出力する。前記表示情報は、例えば、キー操作により選択された機能の情報、キー操作により入力された文字の情報及びキー操作により要求されたガイダンス情報等である。これにより、前記パネルディスプレイ１２は、画像及び文字列を含む情報を表示する。前記パネルディスプレイ１２は、例えば、液晶パネル及びバックライトからなる液晶ディスプレイ、又は有機エレクトロルミネッセンスのディスプレイである。
【００２３】
また、前記ＭＭＩ制御回路１４は、前記キーマトリクス１１に対する操作に対応した音響信号を生成し、その音響信号を前記アンプ１５に出力する。この音響信号は、例えば、操作キーの操作音、キー操作により要求されたガイダンスの音声及びエラー通知のためのビープ音等である。前記ＭＭＩ制御回路１４は、音響信号を生成して前記アンプ１５へ出力する音響信号生成素子を備えている。
【００２４】
前記アンプ１５は、音響信号を増幅し、増幅後の音響信号を前記スピーカ１７へ出力する。このアンプ１５には、前記ＭＭＩ制御回路１４及び前記メイン基板２０における音響信号生成素子２７の各々から出力される音響信号が入力される。そして、前記アンプ１５及びこれに接続された前記スピーカ１７は、入力された音響信号に対応した音響を出力する。
【００２５】
また、前記切替スイッチ１６は、前記ＭＭＩ制御回路１４及び前記ＣＰＵ２１から出力されるミュート信号のいずれか一方を選択して前記アンプ１５に対して出力する制御スイッチである。前記切替スイッチ１６に対する制御信号は、前記メイン基板２０に実装されたＣＰＵ２１から出力される。前記アンプ１５は、前記切替スイッチ１６を通じて前記ミュート信号が入力されると、前記スピーカ１７へ出力される音響信号のボリュームをゼロにする。また、前記発光ダイオード１３は、前記ＭＭＩ基板１０の動作の状態を、その点灯の状態によって通知する発光部品である。
【００２６】
前記スキャナユニット３０は、スキャナ制御基板３１、ＣＣＤ(Charge Coupled Device)ラインセンサ３２及びその他の各種のセンサを備えている。そのセンサは、例えば、原稿センサ３３及び原稿カバーセンサ３４等である。前記ＣＣＤラインセンサ３２は、原稿を走査することにより、その原稿の画像を１ライン分ずつ読み取るイメージセンサである。前記原稿センサ３３は、自動ドキュメントフィーダ（ＡＤＦ）に原稿がセットされたことを検出するセンサである。また、前記原稿カバーセンサ３４は、原稿台を開閉可能に設けられた原稿カバーが、原稿台を覆う閉状態であるか、原稿台を解放する開状態であるかを検出するセンサである。前記スキャナ制御基板３１は、前記原稿センサ３３及び前記原稿カバーセンサ３４の検出結果に基づいて、画像のスキャン処理の中断、エラーメッセージの通知等の制御も行う。なお、エラーメッセージの通知は、前記メイン基板２０及び前記ＭＭＩ基板１０を介して行われる。
【００２７】
前記スキャナユニット３０は、さらに、不図示の駆動機構を備えている。この駆動機構は、前記ＣＣＤラインセンサ３２を原稿に対して主走査方向に移動させる機構である。前記スキャナ制御基板３１は、前記駆動機構を制御することにより、原稿に対する前記ＣＣＤラインセンサ３２の走査を制御する。前記ＣＣＤラインセンサ３２により得られる画像データは、前記メイン基板２０へ伝送される。また、前記スキャナ制御基板３１は、前記原稿センサ３３及び前記原稿カバーセンサ３４の検出結果に基づいて、前記ＣＣＤラインセンサ３２の走査の開始や停止を制御する。
【００２８】
前記プリンタユニット４０は、不図示の画像転写装置、プリンタ制御基板４１、及び各種のセンサを備えている。そのセンサは、例えば、搬送路カバーセンサ４２，カセットセンサ４３及びジャムセンサ４４等である。前記画像転写装置は、カセットに収容されたシート材を搬送するローラ、そのシート材にトナー画像を転写する画像転写部、シート材にトナー画像を溶着させる定着装置等を備えている。前記プリンタ制御基板４１は、前記画像転写装置を制御するプリンタ制御回路が実装された電子基板である。
【００２９】
前記搬送路カバーセンサ４２は、シート材の搬送路のカバーの開閉状態を検出するセンサである。また、前記カセットセンサ４３は、シート材が収容されるカセットが正常にセットされているか否かを検出するセンサである。また、前記ジャムセンサ４４は、シート材の詰まりを検出するセンサである。そして、前記プリンタ制御基板４１は、前記搬送路カバーセンサ４２、前記カセットセンサ４３及び前記ジャムセンサ４４の検出結果に基づいて、プリント処理の中断、エラーメッセージの通知等の制御も行う。なお、エラーメッセージの通知は、前記メイン基板２０及び前記ＭＭＩ基板１０を介して行われる。
【００３０】
前記メイン基板２０は、ＣＰＵ(Central Processing Unit)２１、ＲＯＭ(Read Only Memory)２２、ＳＲＡＭ(Static Random Access Memory)２３、メモリコントローラ２４、ＳＤＲＡＭ(Synchronous Dynamic Random Access Memory)２５、コーデック２６、音響信号生成素子２７、モデム２８及び切替スイッチ２９等の部品が実装された電子基板である。前記ＣＰＵ２１は、前記ＲＯＭ２２に記録された制御プログラムを実行することにより、当該画像処理装置１の動作を制御する。前記メモリコントローラ２４は、前記ＣＰＵ２１による前記ＳＤＲＡＭ２５に対するアクセスを仲介するインターフェースである。前記ＳＲＡＭ２３は、前記ＣＰＵ２１により更新及び参照されるデータを記憶する。
【００３１】
前記モデム２８は、前記ＮＣＵ基板５０を通じて外部のファクシミリ装置へ送信するデータの送信信号を変調する処理及び前記ＮＣＵ基板５０基板５０により得られる受信信号を復調する処理を行う。さらに、前記モデム２８は、公衆回線を通じた外部のファクシミリ装置との通信中に、通信中であることを表す音響信号を出力する。以下、この音響信号のことを、回線の音響信号と称する。
【００３２】
また、前記ＮＣＵ基板５０は、公衆回線に接続され、外部のファクシミリ装置との間でやりとりされる発呼信号及びコマンドを送信及び受信することにより、発信及び着信の制御及びダイヤル制御を行う。前記ＣＰＵ２１は、外部のファクシミリ装置との間で、前記ＮＣＵ基板５０及び前記モデム２８を通じて、画像データの送信及び受信を行う。
【００３３】
ＬＡＮインターフェース基板６０は、前記ＣＰＵ２１と外部の計算機との間のネットワーク通信を制御する電子基板であり、一般にＮＩＣ(Network Interface Card)と称される。前記ＣＰＵ２１は、外部の計算機との間で、前記ＬＡＮインターフェース基板６０を通じて、画像データの送信及び受信を行う。
【００３４】
前記コーデック２６は、前記スキャナユニット３０、前記モデム２８及び前記ＬＡＮインターフェース基板６０  の各々により得られる画像データを圧縮して前記ＳＤＲＡＭ２５に記録する処理、及び圧縮された画像データを伸張する処理を行う。
【００３５】
前記音響信号生成素子２７は、音響信号を生成し、その音響信号を前記アンプ１５へ出力する電子部品である。前記音響信号生成素子２７は、例えば、ＡＳＩＣ等により構成されている。この音響信号生成素子２７により生成される音響信号は、例えば、画像データの処理のエラーを通知する音響信号及び前記ＮＣＵ基板５０により他のファクシミリ装置からの着信を通知するメロディの音響信号等である。ここで、エラーを通知する音響信号は、例えば、前記プリンタユニット４０において画像データに基づくプリント処理のエラーを通知する音響信号、及び前記ＬＡＮインターフェース基板６０における画像データの受信処理のエラーを通知する音響信号等である。
【００３６】
前記切替スイッチ２９は、前記ＣＰＵ２１から出力される制御信号に応じて、前記音響信号生成素子２７から出力される音響信号及び前記モデム２８から出力される音響信号のうちのいずれか一方を選択するスイッチである。この切替スイッチ２９により選択された音響信号は、前記ＭＭＩ基板１０における前記アンプ１５へ出力される。
【００３７】
以上に示したように、画像処理装置１は、機能に応じて区分された複数の電子基板１４、２０、３１、４１、５０、６０を備えている。そして、前記ＣＰＵ２１は、状況に応じてそれら電子基板各々に対する電力供給を個別に停止することによって省電力制御を行う。前記ＣＰＵ２１は、前記節電キー１８に対し、前記ＭＭＩ基板１０に設けられた前記節電キー接続回路１９を介して接続されている。そして、前記ＣＰＵ２１は、前記ＭＭＩ基板１０が節電状態及び通常状態の各々であるときに、前記節電キー１８に対する操作を検知する。なお、前記メイン基板２０及び前記ＣＰＵ２１は、それぞれ前記第２電子基板及び前記第２の操作検知部の一例である。
【００３８】
前記省電力制御において、前記ＣＰＵ２１は、前記制御スイッチ７１の制御により、前記ＭＭＩ基板１０の通電状態を、前記省電力状態又は前記通常状態のいずれかへ切り替える。同様に、前記ＣＰＵ２１は、前記制御スイッチ７２及び前記制御スイッチ７３各々の制御により、前記スキャナ制御基板３１及び前記プリンタ制御基板４１各々に対する電力供給のＯＮ／ＯＦＦを切り替える。但し、前記ＭＭＩ基板１０においては、前記キーマトリクス１１、前記パネルディスプレイ１２及び前記ＭＭＩ制御回路１４に対する電力供給ラインと、前記アンプ１５及びミュート制御用の前記切替スイッチ１６に対する電力供給ラインとが、独立して設けられている。
【００３９】
なお、前記制御スイッチ７１〜７３は、例えば、前記メイン基板２０に実装される。或いは、前記制御スイッチ７１〜７３の各々が、前記ＭＭＩ基板１０、前記スキャナ制御基板３１及び前記プリンタ制御基板４１の各々に実装されることも考えられる。
【００４０】
例えば、前記ＣＰＵ２１は、前記キーマトリクス１１及び前記節電キー１８に対する操作が、第１の待ち時間（ｔ１）以上継続して検知されない場合に、前記ＭＭＩ基板１０における前記キーマトリクス１１，前記パネルディスプレイ１２及び前記ＭＭＩ制御回路１４に対する電力供給を停止する。これにより、前記ＭＭＩ基板１０は節電状態となる。その節電状態において、前記アンプ１５及び前記切替スイッチ１６に対する電力供給は維持される。
【００４１】
前記ＭＭＩ基板１０が節電状態であるとき、前記メイン基板２０及び前記アンプ１５は電力が供給されている。そのため、前記ＭＭＩ基板１０が節電状態である場合でも、前記節電キー接続回路１９を介して前記節電キー１８に接続された前記ＣＰＵ２１は、前記節電キー１８のＯＮ／ＯＦＦの状態を検知できる。また、前記ＭＭＩ基板１０が節電状態である場合でも、前記メイン基板２０は、外部装置からのアクセスに応じて、データ処理及び音響出力処理を行うことが可能である。
【００４２】
また、前記ＣＰＵ２１は、前記ＭＭＩ基板１０が節電状態であるときに、前記節電キー１８に対する操作を検知すると、前記キーマトリクス１１，前記パネルディスプレイ１２及び前記ＭＭＩ制御回路１４に対する電力供給を復帰させる。これにより、前記ＭＭＩ基板１０が通常状態となり、前記キーマトリクス１１及び前記パネルディスプレイ１２が、使用可能な状態となる。
【００４３】
また、前記ＣＰＵ２１は、前記スキャナユニット３０が動作しない時間が、第２の待ち時間（ｔ２）以上継続した場合に、前記スキャナ制御基板３１に対する電力供給を停止する。同様に、前記ＣＰＵ２１は、前記プリンタユニット４０が動作しない時間が、第３の待ち時間（ｔ３）以上継続した場合に、前記プリンタ制御基板４１に対する電力供給を停止する。前記ＭＭＩ基板１０、前記スキャナ制御基板３１及び前記プリンタ制御基板４１の各々に対して予め設定された前記第１の待ち時間（ｔ１）、前記第２の待ち時間（ｔ２）及び前記第３の待ち時間（ｔ３）は、前記ＳＲＡＭ２３に予め記憶される。
【００４４】
一方、前記ＣＰＵ２１は、前記キーマトリクス１１に対する操作又は外部装置からのアクセスに応じて、原稿の画像のスキャン処理又はプリント処理が必要となったときに、その処理を実行するために必要な前記スキャナ制御基板３１又は前記プリンタ制御基板４１に対する電力供給を復帰させる。このように、画像処理装置１は、機能に応じて区分された複数の電子基板１４、３１、４１各々に対する電力供給を、状況に応じて個別に停止することによって省電力制御を行う。
【００４５】
また、画像処理装置１は、商用電源に接続されている状況下で、常に電力の供給を続ける前記第１電源７０と、前記ＣＰＵ２１の制御により、電力の出力を停止可能な第２電源８０と備えている。前記メイン基板２０、前記ＮＣＵ基板５０及び前記ＬＡＮインターフェース基板６０は、前記第１電源７０から電力が供給される。一方、前記スキャナ制御基板３１及び前記プリンタ制御基板４１は、前記第２電源８０から電力が供給される。なお、図１において、矢印付きの波線は、電力供給ラインを表す。
【００４６】
また、前記ＭＭＩ基板１０に実装された部品には、前記第１電源７０から電力が供給される部品と、前記第２電源８０から電力が供給される部品とが混在する。即ち、前記キーマトリクス１１、前記パネルディスプレイ１２及び前記ＭＭＩ制御回路１４は、前記第２電源８０から電力が供給される。一方、音響出力に関する前記アンプ１５及び前記切替スイッチ１６は、前記第２電源８０から電力が供給される。
【００４７】
そして、前記ＣＰＵ２１は、前記第２電源８０の出力が不要である場合に、前記第２電源８０の電力の出力を停止する。これにより、前記第２電源８０の待機中の消費電力を抑制できる。前記第２電源８０の出力が不要である場合とは、前記制御スイッチ７１〜７３により、前記第２電源８０から前記ＭＭＩ基板１０、前記スキャナ制御基板３１及び前記プリンタ制御基板４１への電力供給が停止されている場合である。また、前記ＣＰＵ２１は、前記節電キー１８が予め定められた時間以上継続して押し続けられた場合にも、前記第２電源８０の電力の出力を停止する。これにより、オペレータは、手動操作により、画像処理装置を最も消費電力の少ない状態へ移行させることができる。
【００４８】
（節電キー接続回路の第１例）次に、図２を参照しつつ、前記ＭＭＩ基板１０における前記節電キー接続回路１９の第１例について説明する。図２に示される前記節電キー接続回路１９は、前記ＭＭＩ基板１０において、前記節電キー１８と前記ＭＭＩ制御回路１４が備える前記ＭＰＵ１４１と、前記メイン基板２０が備える前記ＣＰＵ２１とに接続されている。
【００４９】
図２に示されるように、前記キーマトリクス１１は、前記ＭＰＵ１４１に接続された複数の信号出力ライン各々と、前記ＭＰＵ１４１に接続された複数の信号入力ライン各々とに接続された複数の操作キーを備えている。そして、前記ＭＰＵ１４１は、キーマトリクススキャンにより、前記キーマトリクス１１における複数の操作キー各々に対する操作の状況を検知する。前記キーマトリクススキャンは、前記キーマトリクス１１に接続された前記信号出力ライン各々に対して信号を周期的に出力しつつ、前記信号入力ライン各々の信号レベルを検出することにより、前記信号出力ラインごとの操作キーのＯＮ／ＯＦＦ状態を検出する処理である。
【００５０】
なお、図２に示される例は、４つの前記信号出力ライン及び４つの前記信号入力ラインに対して１６個の操作キーが接続された例であるが、他の構成も考えられる。また、図２に示される例は、前記信号入力ラインが接続される前記ＭＰＵ１４１の信号入力ポートは、前記ＭＰＵ１４１内で所定電圧にプルアップされるタイプのポートであるが、前記ＭＰＵ１４１の外部でプルアップされる構成も考えられる。
【００５１】
そして、図２に示される前記操作キー接続回路１９は、前記節電キー１８と１つの前記信号出力ラインと１つの前記信号入力ラインとに接続されたスリーステートバッファ１９１を備えている。より具体的には、前記スリーステートバッファ１９１の信号入力端及び信号出力端は、前記信号入力ライン及び前記信号出力ラインの各々に接続されている。さらに、前記スリーステートバッファ１９の制御入力端が、前記ＣＰＵ２１の信号入力ポート及び前記節電キー１８に接続されている。前記節電キー１８は、第１の接続端が所定の電圧にプルアップされ、第２の接続端が接地されている。そして、前記節電キー１８の第１の接続端が、前記スリーステートバッファ１９の制御入力端及び前記ＣＰＵ２１に接続されている。なお、図２に示される例は、前記節電キー１８に接続される前記ＣＰＵ２１の信号入力ポートは、前記ＣＰＵ２１の外部でプルアップされるタイプのポートであるが、前記ＣＰＵ２１内で所定電圧にプルアップされるタイプのポートが採用されることも考えられる。
【００５２】
また、図２に示される前記スリーステートバッファ１９１は、前記キーマトリクス１１における複数の操作キーのうちの１つと並列に接続されている。図２に示される例では、前記スリーステートバッファ１９１は、前記キーマトリクス１１の一部である操作キー１１と並列に接続されている。なお、図２に示される前記スリーステートバッファ１９１は、制御入力端の信号がＬｏｗレベルのときにアクティブとなり、制御入力端の信号がＨｉｇｈレベルのときに信号出力端がハイインピーダンスとなる反転タイプである。しかしながら、回路の論理の正負を入れ替えることにより、非反転タイプのスリーステートバッファが採用されることも考えられる。
【００５３】
図２に示される第１例においては、前記ＣＰＵ２１の信号入力ポートのレベルが、前記節電キー１８に対する操作の有無に応じて変化する。従って、前記メイン基板２０に設けられた前記ＣＰＵ２１は、前記ＭＰＵ１４１に対する電力供給が停止された状況下でも、前記第節電キー１８に対する操作を検知することができる。そのため、前記ＭＭＩ基板１０が節電状態であるときに、前記ＭＰＵ１４１を含むほぼ全ての部品に対する電力供給を停止することができる。その結果、節電状態における前記ＭＭＩ基板１０の消費電力が、より低く抑えられる。
【００５４】
さらに、図２に示される第１例においては、前記ＭＰＵ１４１は、キーマトリクススキャンにより、前記キーマトリクス１１における複数の操作キー及び前記節電キー１８の各々に対する操作の有無を検知することができる。即ち、図２に示される前記節電キー接続回路１９は、前記ＭＭＩ基板１０において、前記節電キー１８と前記ＭＰＵ１４１とに接続され、前記ＣＰＵ２１が前記節電キー１８に接続されていない状況下で前記ＭＰＵ１４１に前記節電キー１８に対する操作を検知させる回路の一例である。換言すれば、前記ＭＭＩ基板１０は、前記キーマトリクス１１及び前記節電キー１８の各々に対する操作を検知できる前記ＭＰＵ１４１を備えている。従って、前記ＭＭＩ基板１０は、前記キーマトリクス１１と、通常状態では前記ＣＰＵ２１によって操作状況が検知される前記節電キー１８との両方の良否を、前記ＭＭＩ基板１０単独でチェックできる。
【００５５】
より具体的には、前記ＭＰＵ１４１は、前記メイン基板２０が接続されない状態で、予め前記ＲＯＭ２２に記憶されたテスト用プログラムを実行することにより、前記キーマトリクス１１及び前記節電キー１８に対する操作状況を検知し、操作されたキーに対応する情報の表示又は音響の出力を行う。その場合、前記キーマトリクス１１が備える操作キーの各々が操作されたときに、操作されたキーに対応する情報の表示又は音響の出力が行われれば、前記キーマトリクス１１は、前記ＭＭＩ基板１０において正常に実装されている。同様に、前記節電キー１８が操作されたときに、前記キーマトリクス１１が備える１つの操作キー１１１に対応する情報の表示又は音響の出力が行われれば、前記節電キー１８は前記ＭＭＩ基板１０において正常に実装されている。
【００５６】
以上に示したように、前記ＭＭＩ基板１０は、それ単独で、通常状態で使用される前記キーマトリクス１１と節電状態で使用される前記節電キー１８との両方の良否をチェックできる構成を有している。その結果、前記ＭＭＩ基板１０及び前記メイン基板２０が組み合わされた後に、前記ＭＭＩ基板１０の不良が発見され、画像処理装置１の生産効率が大きく低下するという問題点が、解消される。さらに、図２に示される第１例は、前記操作キー接続回路１９を設けるために、操作検知部である前記ＭＰＵ１４１において信号入力ポートや信号出力ポートを追加することを要しないというメリットを有する。
【００５７】
（節電キー接続回路の第２例）次に、図３を参照しつつ、前記ＭＭＩ基板１０における前記節電キー接続回路１９の第２例について説明する。図３に示される前記節電キー接続回路１９も、前記第１例と同様に、前記ＭＭＩ基板１０において、前記節電キー１８と前記ＭＭＩ制御回路１４が備える前記ＭＰＵ１４１と、前記メイン基板２０が備える前記ＣＰＵ２１とに接続されている。図３に示される第２例は、図２に示された第１例と比較して、前記スリーステートバッファ１９と並列に接続される操作キー１１１が存在しない点のみが異なる。図３において、図２に示される構成要素と同じ構成要素は、同じ参照符号が付されている。以下、図３に示される第２例における前記第１例と異なる点についてのみ説明する。
【００５８】
画像処理装置１は、前記第２例が採用された場合も、前記第１例が採用された場合と同様の作用及び効果を有する。但し、図２に示された前記第１例においては、前記ＭＰＵ１４１は、前記スリーステートバッファ１９と並列接続される前記操作キー１１に対する操作と前記節電キー１８に対する操作とを識別できない。しかしながら、そのことは、前記スリーステートバッファ１９が、前記節電キー１８に対して機能及び位置が全く異なる前記操作キー１１と並列に接続されていれば、実用的には特に問題とはならない。
【００５９】
一方、前記第２例における前記スリーステートバッファ１９は、前記キーマトリクス１１における操作キーの空き部分に挿入されている。そのため、前記ＭＰＵ１４１は、前記スリーステートバッファ１９と並列接続される前記操作キー１１に対する操作と前記節電キー１８に対する操作とを識別できる。これにより、前記キーマトリクス１１の中から、前記節電キー１８との混同が生じない前記操作キー１１を選定するという制約がなくなる。また、図３に示される第２例も、前記操作キー接続回路１９を設けるために、操作検知部である前記ＭＰＵ１４１において信号入力ポートや信号出力ポートを追加することを要しないというメリットを有する。従って、前記キーマトリクス１１において、前記ＭＰＵ１４１のキーマトリクススキャンにより検知可能な操作キーの空き部分が存在する場合、図３に示される前記第２例が採用されることが望ましい。
【００６０】
以上に示したように、図３に示される前記節電キー接続回路１９も、前記ＭＭＩ基板１０において、前記節電キー１８と前記ＭＰＵ１４１とに接続され、前記ＣＰＵ２１が前記節電キー１８に接続されていない状況下で前記ＭＰＵ１４１に前記節電キー１８に対する操作を検知させる回路の一例である。
【００６１】
（節電キー接続回路の第３例）次に、図４を参照しつつ、前記ＭＭＩ基板１０における前記節電キー接続回路１９の第３例について説明する。図４に示される前記節電キー接続回路１９は、前記ＭＭＩ基板１０において、前記節電キー１８と前記ＭＭＩ制御回路１４が備える前記ＭＰＵ１４１とに接続されている。即ち、図４に示される前記節電キー接続回路１９は、前記第１例及び前記第２例とは異なり、前記キーマトリクス１１には接続されていない。図４において、図２に示される構成要素と同じ構成要素は、同じ参照符号が付されている。以下、図４に示される第３例における前記第１例と異なる点についてのみ説明する。
【００６２】
前記第３例における前記節電キー接続回路１９は、ダイオード１９２を介して、前記ＭＰＵ１４１の信号入力ポートと、前記節電キー１８及び前記ＣＰＵ２１の信号入力ポートとを接続する回路である。そのため、前記ＭＰＵ１４１は、信号入力ポートの信号レベルにより、前記キーマトリクス１１に対する操作と前記節電キー１８に対する操作との両方を検知できる。従って、画像処理装置１は、前記第３例が採用された場合も、前記第１例が採用された場合と同様の作用及び効果を有する。なお、前記ダイオード１９２は、前記ＭＰＵ１４１の信号入力ポートへの過電流の流入を防止するために設けられている。その過電流の問題が生じない場合は、前記ダイオード１９２が省略されることも考えられる。
【００６３】
また、前記節電キー接続回路１９に接続される前記ＭＰＵ１４１の信号入力ポートは、前記キーマトリクス１１に接続される信号入力ポートとは異なる。従って、前記第３例における前記ＭＰＵ１４１は、前記スリーステートバッファ１９と並列接続される前記操作キー１１に対する操作と前記節電キー１８に対する操作とを識別して検知できる。これにより、前記キーマトリクス１１の中から適当な前記操作キー１１を選定するという制約がなくなる。但し、図４に示される前記第３例は、前記操作キー接続回路１９を設けるために、操作検知部である前記ＭＰＵ１４１において信号入力ポートの追加を要する。
【００６４】
以上に示したように、図４に示される前記節電キー接続回路１９も、前記ＭＭＩ基板１０において、前記節電キー１８と前記ＭＰＵ１４１とに接続され、前記ＣＰＵ２１が前記節電キー１８に接続されていない状況下で前記ＭＰＵ１４１に前記節電キー１８に対する操作を検知させる回路の一例である。
【００６５】
以上に示した実施形態では、前記節電キー１８及び前記キーマトリクス１１のみが、操作部品として例示されているが、前記画像処理装置１が、それら以外の操作部品を備えることも考えられる。例えば、前記ＭＭＩ基板１０が、通常状態で操作される操作部品として、前記キーマトリクス１１以外の操作キーを備えることも考えられる。
【産業上の利用可能性】
【００６６】
本発明は、画像処理装置に利用可能である。
【符号の説明】
【００６７】
１    画像処理装置
１０  ＭＭＩ基板
１１  キーマトリクス
１２  パネルディスプレイ
１３  発光ダイオード
１４  ＭＭＩ制御回路
１５  アンプ
１６  切替スイッチ
１７  スピーカ
１８  節電キー
１９  節電キー接続回路
２０  メイン基板
２１  ＣＰＵ
２２  ＲＯＭ
２３  ＳＲＡＭ
２４  メモリコントローラ
２５  ＳＤＲＡＭ
２６  コーデック
２７  音響信号生成素子
２８  モデム
２９  切替スイッチ
３０  スキャナユニット
３１  スキャナ制御基板
３２  ラインセンサ
３３  原稿センサ
３４  原稿カバーセンサ
４０  プリンタユニット
４１  プリンタ制御基板
４２  搬送路カバーセンサ
４３  カセットセンサ
４４  ジャムセンサ
５０  ＮＣＵ基板
６０  ＬＡＮインターフェース基板
７０  第１電源
７１〜７３，８１  制御スイッチ
８０  第２電源
１００  バス
１９１  スリーステートバッファ
１９２  ダイオード
【図１】
2011097323.tif 000003
【図２】
2011097323.tif 000004
【図３】
2011097323.tif 000005
【図４】
2011097323.tif 000006
【図５】
2011097323.tif 000007